(57)【特許請求の範囲】
【請求項１】
昇降路内に立設した一対のかご用ガイドレールと、前記かご用ガイドレールによって案内されながら昇降可能な乗りかごと、前記乗りかごの背面側と前記昇降路の壁間に形成した背面側空間部に立設した一対の錘用ガイドレールと、前記錘用ガイドレールによって案内されながら昇降可能な釣り合い錘と、前記乗りかごの下部に回転可能に軸支した一対のかご用プーリと、前記かご用プーリを経由して前記釣り合い錘および前記乗りかごを吊るようローピングした主ロープと、前記背面側空間部に配置されて前記主ロープを巻き掛けた駆動シーブを有する巻上機と、前記巻上機を制御する制御盤とを備えたエレベータ装置において、
前記昇降路の壁と前記乗りかごの側方との間に形成した側方空間部に近い位置の前記背面側空間部の上方部に前記巻上機を配置し、前記側方空間部に、その上方部で回転可能に軸支して並置した一対の頂部プーリと、前記巻上機の前記駆動シーブと一方の前記頂部プーリとの間の下方部に位置して回転可能に軸支した返しプーリとを設け、前記主ロープは、前記かご用プーリを経由して立ち上げ前記一対の頂部プーリに掛けて下方へ導き、前記返しプーリを通して前記駆動シーブに巻き掛けた部分を有し、前記制御盤は、前記一対の頂部プーリの下方で、かつ、前記一対の頂部プーリに掛けて下方に導いた部分の前記主ロープの対向部間に形成した領域に固定して設け、前記巻上機は前記背面側空間部における前記側方空間部に寄せて配置し、前記側方空間部における前記昇降路の壁とほぼ平行な仮想垂直面に、前記一対の頂部プーリと前記返しプーリとを配置すると共に、前記制御盤を前記一対の頂部プーリに近接させて配置し、前記返しプーリを前記制御盤よりも下方に配置したことを特徴とするエレベータ装置。
【請求項２】
前記背面側空間部に配置した前記釣り合い錘の投影面上に、前記巻上機の一部を重ねて配置したことを特徴とする請求項１に記載のエレベータ装置。
【請求項３】
前記乗りかごの投影面上に、前記巻上機の一部を重ねて配置したことを特徴とする請求項１に記載のエレベータ装置。
【発明の詳細な説明】
【技術分野】
【０００１】
本発明は、乗りかごの背面側に釣り合い錘と巻上機を配置した機械室レスのエレベータ装置に関する。
【背景技術】
【０００２】
従来のエレベータ装置として、昇降路内に立設したかご用ガイドレールに沿って乗りかごを昇降可能に配置し、この乗りかごの背面側と昇降路壁との間に形成された背面側空間部に、錘用ガイドレールに沿って昇降可能な釣り合い錘と、乗りかごおよび釣り合い錘を釣り下げた主ロープを駆動する巻上機とを配置した機械室レスエレベータ装置が知られている。この種のエレベータ装置では、背面側空間部に巻上機を配置したもの（例えば、特許文献１参照）や、背面側空間部における釣り合い錘の投影面上で、かつ、釣り合い錘と干渉することのない上方部に巻上機を配置したもの（例えば、特許文献２参照）が知られている。
【先行技術文献】
【特許文献】
【０００３】
【特許文献１】特開２００７−２９７２０９号公報
【特許文献２】特開平７−１０４３４号公報
【発明の概要】
【発明が解決しようとする課題】
【０００４】
しかしながら、上記特許文献を含む従来のエレベータ装置では、釣り合い錘を乗りかごの背面側に形成した背面側空間部に配置した機械室レスエレベータにおいて、巻上機の電動機を制御する制御盤の配置については十分検討されていなかったため、昇降路を大きくすることなく昇降路内の単なる残余空間部に制御盤を配置しようとすると、電動機と制御盤とを離れて配置することになり、両者間の配線が長くなったり、配線作業または保守作業のために電動機と制御盤間を繰り返し移動したりしなければならず、作業が面倒になってしまう。一方、作業性の観点からのみ制御盤の位置を決定してしまうと、その配置のために昇降路を大きくしてしまう。
【０００５】
本発明の目的は、電動機および制御盤の配線作業や保守作業を容易にすると共に、昇降路の小型化を可能にしたエレベータ装置を提供することにある。
【課題を解決するための手段】
【０００６】
本発明は上記目的を達成するために、昇降路内に立設した一対のかご用ガイドレールと、前記かご用ガイドレールによって案内されながら昇降可能な乗りかごと、前記乗りかごの背面側と前記昇降路の壁間に形成した背面側空間部に立設した一対の釣り合い錘用ガイドレールと、前記釣り合い錘用ガイドレールによって案内されながら昇降可能な釣り合い錘と、前記乗りかごの下部に回転可能に軸支した一対のかご用プーリと、前記かご用プーリを経由して前記釣り合い錘および前記乗りかごを吊るようローピングした主ロープと、前記背面側空間部に配置されて前記主ロープを巻き掛けた駆動シーブを有する巻上機と、前記巻上機を制御する制御盤とを備えたエレベータ装置において、前記昇降路の壁と前記乗りかごの側方との間に形成した側方空間部に近い位置の前記背面側空間部の上方部に前記巻上機を配置し、前記側方空間部に、その上方部で回転可能に軸支して並置した一対の頂部プーリと、前記巻上機の前記駆動シーブと一方の前記頂部プーリとの間の下方部に位置して回転可能に軸支した返しプーリとを設け、前記主ロープは、前記かご用プーリを経由して立ち上げ前記一対の頂部プーリに掛けて下方へ導き、前記返しプーリを通して前記駆動シーブに巻き掛けた部分を有し、前記制御盤は、前記一対の頂部プーリの下方で、かつ、前記一対の頂部プーリに掛けて下方に導いた部分の前記主ロープの対向部間に形成した領域に固定して設け、前記巻上機は前記背面側空間部における前記側方空間部に寄せて配置し、前記側方空間部における前記昇降路の壁とほぼ平行な仮想垂直面に、前記一対の頂部プーリと前記返しプーリとを配置すると共に、前記制御盤を前記一対の頂部プーリに近接させて配置し、前記返しプーリを前記制御盤よりも下方に配置したことを特徴とする。
【０００７】
上記構成によれば、頂部プーリの下部に積極的に形成した空間に制御盤を配置して空間の有効活用を図っているため、乗かごの側部と昇降路壁との間に形成される側方空間部の幅を小さくすることができ、昇降路の断面積を縮小したエレベータ装置とすることができる。また制御盤を昇降路の下部等に配置した場合に比べて、巻上機と制御盤とを近接して配置することができるので、両者間の配線作業や保守作業を余り移動することなく容易に行うことができる。また、上記構成によれば、左側方空間部における構成を一層簡略化することができると共に、側方空間部に配置した頂部プーリおよび返しプーリの幅方向を薄型にすることができ、しかも、その仮想垂直面に近接して巻上機を配置することができるので、側方空間部を一層小さくして昇降路を小型にしたエレベータ装置とすることができる。
【００１０】
また本発明は、上述の構成に加えて、前記背面側空間部に配置した前記釣り合い錘の投影面上に、前記巻上機の一部を重ねて配置したことを特徴とする。
【００１１】
上記構成によれば、釣り合い錘に設けられる釣り合い錘用プーリと、返しプーリとを近接して配置することができるので、両プーリ間に補助のプーリなどを設置することなく両プーリ間に主ロープを直接掛けて構成を簡単にしたエレベータ装置とすることができる。
【００１２】
さらに本発明は、上述の構成に加えて、前記乗りかごの投影面上に、前記巻上機の一部を重ねて配置したことを特徴とする。
【００１３】
上記構成によれば、巻上機の駆動シーブと返しプーリとを近接して配置することができるので、両者間に補助のプーリなどを設置することなく両者間に主ロープを直接掛けて構成を簡単にしたエレベータ装置とすることができる。
【発明の効果】
【００１４】
以上説明したように本発明のエレベータ装置によれば、頂部プーリの下部に積極的に形成した空間に制御盤を配置して空間の有効活用を図っているため、乗かごの側部と昇降路壁との間に形成される側方空間部の幅を小さくすることができ、昇降路の断面積を縮小したエレベータ装置とすることができる。また制御盤を昇降路の下部等に配置した場合に比べて、巻上機と制御盤とを近接して配置することができるので、両者間の配線作業や保守作業を余り移動することなく容易に行うことができる。
【図面の簡単な説明】
【００１５】
【図１】本発明の一実施の形態によるエレベータ装置の平面図である。
【図２】図１に示したエレベータ装置の矢印Ａ方向から見た側面図である。
【図３】図１に示したエレベータ装置の矢印Ｂ方向から見た側面図である。
【図４】本発明の他の実施の形態によるエレベータ装置の平面図である。
【図５】本発明のさらに他の実施の形態によるエレベータ装置の平面図である。
【発明を実施するための形態】
【００１６】
以下、本発明の実施の形態を図面に基づいて説明する。
【００１７】
図１はエレベータ装置における昇降路の平面図であり、昇降路１を構成する昇降路壁２の内側に固定したレールブラケット３、４を用いて取り付けた一対のかご用ガイドレール５、６に案内されて昇降する乗りかご７と、この乗りかご７の背面で昇降路壁２の内側に固定したレールブラケット８、９を用いて取り付けた一対の錘用ガイドレール１０、１１に案内されて昇降する釣り合い錘１２と、両端のロープエンド部１３、１４を固定しながら中間部で乗りかご７と釣り合い錘１２とを吊り下げた主ロープ１５と、この主ロープ１５の中間部を巻き掛けて乗りかご７と釣り合い錘１２とを昇降駆動するように昇降路壁２に支持固定した巻上機１６と、この巻上機１６を制御するように配線接続すると共に昇降路壁２に支持固定した制御盤１７とを備えてエレベータが構成されている。
【００１８】
乗りかご７の両側面および背面側と昇降路壁２との間には、それぞれ他の構成機器を配置するなどのために右側方空間部と、左側方空間部および背面側空間部を形成している。昇降路壁２と乗りかご７の右面側との間に形成した右側方空間部には、かご用ガイドレール５と干渉しない上方部で主ロープ１５のロープエンド部１３を固定しており、昇降路壁２と乗りかご７の背面側との間に形成した背面側空間部には、一対の錘用ガイドレール１０、１１と、釣り合い錘１２と、錘用ガイドレール１０、１１と干渉しない上方部に固定した他方のロープエンド部１４とを配置している。
【００１９】
ロープエンド部１３の下方に位置する乗りかご７の底部には、かご用ガイドレール５と干渉する位置を避けてかご用プーリ１８を回転可能に軸支し、同様に、かご用ガイドレール６と干渉しない位置に他のかご用プーリ１９を回転可能に軸支し、かご用プーリ１８とかご用プーリ１９とをほぼ同一直線上で回転するように対向して配置している。
【００２０】
また、かご用プーリ１９側に位置した乗りかご７の左面側と昇降路壁２との間に形成した左側方空間部には、その上方部で互いに緩衝しないように距離を隔てて回転可能に並置した一対の頂部プーリ２０、２１と、一方の頂部プーリ２１と巻上機１６との間の下方部に回転可能に設けた返しプーリ２２とを備えており、昇降路壁２の内面にほぼ平行な仮想垂直面でそれぞれ回転可能に軸支している。
【００２１】
昇降路壁２と乗りかご７の背面側との間に形成した背面側空間部に配置した巻上機１６は、主ロープ１５を巻き掛ける駆動シーブ２３と、この駆動シーブ２３を回転駆動する電動機２４とを備えており、返しプーリ２２の上方部に駆動シーブ２３が位置するようにして電動機２４を昇降路壁２側に向けて配置している。釣り合い錘１２の上部には、主ロープ１５を掛けるための釣り合い錘用プーリ２５を回転可能に設けており、この釣り合い錘用プーリ２５と駆動シーブ２３とは、背面側空間部における昇降路壁２の内壁面とほぼ平行な仮想垂直面に位置するようにするのが望ましいが、ここでは、釣り合い錘用プーリ２５を駆動シーブ２３に比べて多少昇降路壁２の内壁面側に多少近づけることにより、乗りかご７の奥行き方向の寸法を縮小している。
【００２２】
ロープエンド部１３で一端を固定した主ロープ１５は、乗りかご７の右側方空間部を垂下した後、乗りかご７の下部に設けたかご用プーリ１８およびかご用プーリ１９を通し、乗りかご７の左側方空間部で引き上げてから一対の頂部プーリ２０、２１を通し、再度、乗りかご７の左側方空間部で垂下した後、返しプーリ２２を通して引き上げて、乗りかご７の背面側空間部で巻上機１６の駆動シーブ２３に巻き掛けた後、釣り合い錘１２の釣り合い錘用プーリ２５を通し、上方部に引き上げるローピングによってロープエンド部１４で他端を固定している。
【００２３】
次に、乗りかご７の背面側に形成した背面側空間部における具体的な構成について、図１の矢印Ａ側から見た側面図である図２を用いてさらに説明する。錘用ガイドレール１０、１１またはその近傍に設けられているかご用ガイドレール５、６などには、昇降路１の最上部で、かつ乗りかご７および釣り合い錘１２と干渉することのない位置および形状で頂部ビーム２６を固定している。この頂部ビーム２６に巻上機１６を搭載し、頂部ビーム２６のうち釣り合い錘１２の上部に位置する釣り合い錘側頂部ビーム２７にロープエンド部１４を固定している。上述したように乗りかご７の左側方空間部には、ほぼ同一仮想垂直面に頂部プーリ２０、２１および返しプーリ２２を配置することによって、複数のプーリを配置しながらもこの左側方空間部における図示の幅方向寸法を縮小することができる。
【００２４】
また、背面側空間部に配置した巻上機１６は、左側方空間部の幅方向寸法を大きくしないように背面側空間部における左側方空間部側に寄せて配置し、駆動シーブ２３をできるだけ頂部プーリ２０、２１および返しプーリ２２を配置した仮想垂直面に近づけている。さらに、釣り合い錘１２の上方部では、釣り合い錘１２が昇降路１内の最上部に位置した状態でも干渉することのない位置に巻上機１６を配置し、つまり図１の平面図では釣り合い錘１２の投影面内に巻上機１６の一部が位置するようにしており、これによっても左側方空間部の幅方向寸法を縮小している。
【００２５】
このような構成によって、返しプーリ２２と駆動シーブ２３間の主ロープ１５は、返しプーリ２２を配置した仮想垂直面に近づけて配置することができ、しかも、駆動シーブ２３と釣り合い錘用プーリ２５間も近接して配置することができるので、駆動シーブ２３と釣り合い錘用プーリ２５間に他のプーリを配置することなく、駆動シーブ２３と釣り合い錘用プーリ２５間の主ロープ１５を多少斜めにするだけで直接掛けることができる。
【００２６】
次に、乗りかご７の左面側に形成した左側方空間部における具体的な構成について、図１の矢印Ｂ側から見た側面図である図３を用いてさらに説明する。頂部ビーム２６のうちかご用ガイドレール６と錘用ガイドレール１１に固定した部分のかご側頂部ビーム２８には支持部材２９、３０が固定され、この支持部材２９、３０に頂部プーリ２０、２１を回転可能に軸支している。一対の頂部プーリ２０、２１は、ほぼ同一レベルで並置され、一方の頂部プーリ２０における外側の下方にはかご用プーリ１９を配置し、他方の頂部プーリ２１における外側の下方には昇降路１の最上階フロアレベル付近に固定した支持台３１を用いて回転可能に軸支した返しプーリ２２を配置している。この支持台３１は、近傍に位置する錘用ガイドレール１１へ固定している。
【００２７】
頂部プーリ２０とかご用プーリ１９間に位置する主ロープ１５は鉛直であり、頂部プーリ２１と返しプーリ２２間に位置する主ロープ１５もほぼ鉛直であり、折り返された同部の主ロープ１５間には、一対の頂部プーリ２０、２１により決まる所定の幅が形成されている。この所定の幅は、一対の頂部プーリ２０、２１を使用しているため、いずれ一方のみを使用した場合に比べて広げられている。この折り返した主ロープ１５間の広げられた部分を利用し、かつ、一対の頂部プーリ２０、２１の下部に形成した空間部を利用して制御盤１７を配置している。制御盤１７は、例えば、かご用ガイドレール６に支持部材３２、３３を固定し、この支持部材３２、３３によって上述した位置に保持固定している。
【００２８】
上述した一対の頂部プーリ２０、２１は、ほぼ同一レベルで並置しているが、これに限定するものではなく、多少の上下関係を持って配置しても良く、いずれの場合も一対の頂部プーリ２０、２１の下方で、かつ、それらの外側に位置した主ロープ１５とで囲まれた部分に制御盤１７を配置することができる大きさの空間を形成できるようにする。
【００２９】
このように頂部プーリ２０、２１の下部に形成した空間は、同部の主ロープ１５と他の機器との干渉を防ぐためだけの空間ではなく、制御盤１７の配置のための空間としても有効に活用しているため、制御盤１７の厚さ方向、つまり、昇降路１の図１における幅方向を縮小することができる。しかも、制御盤１７を昇降路１の下部に配置した場合に比べて巻上機１６の近くに配置することができるため、巻上機１６の電動機２４への給電を制御する機器等を含んだ制御盤１７と電動機２４との間を接続する配線を短くすることができ、配線を通して混入するかも知れないノイズなどの雑音を低減したりコストを低減したりすることができる。
【００３０】
また、一対の頂部プーリ２０、２１の下部に制御盤１７を配置しているため、並置した頂部プーリ２０、２１間の間隔を容易に調節することができるので、制御盤１７の両側に位置する部分の主ロープ１５が制御盤１７と干渉するのを防止することができる。また、上述した構成によって、制御盤１７を頂部プーリ２０、２１に近接した下部に配置するとき、昇降路１の最上階フロアレベル上となるように配置することができるため、保守員は乗りかご７の上から制御盤１７の保守を容易に行うことができる。しかも、巻上機１６と制御盤１７とが近接しているため、乗りかご７上に登った保守員は、両者の保守作業のために乗りかご７上で移動する距離を短縮することができるようになり、保守性を一層向上することができる。
【００３１】
以上説明した本実施の形態によるエレベータ装置によれば、昇降路壁２と乗りかご７の側方との間に形成した側方空間部に近い位置の背面側空間部の上方部に巻上機１６を配置し、同側方空間部に、その上方部で回転可能に軸支して並置した一対の頂部プーリ２０、２１と、巻上機１６の駆動シーブ２３と一方の頂部プーリ２１との間の下方部に回転可能に軸支した返しプーリ２２とを設け、主ロープ１５は、かご用プーリ１９を経由して立ち上げ一対の頂部プーリ２０、２１に掛けて下方へ導き、返しプーリ２２を通して駆動シーブ２３に巻き掛けた部分を有し、制御盤１７は、一対の頂部プーリ２０、２１の下方で、かつ、一対の頂部プーリ２０、２１に掛けて下方に導いた部分の主ロープ１５の対向部間に形成した領域に固定して設けることによって、頂部プーリ２０、２１の下部空間に制御盤１７を配置して空間の有効活用を図ったため、乗かご７の側部と昇降路壁２との間に形成される左側方空間部を小さくすることができ、昇降路断面積を縮小したエレベータとすることができ、また制御盤１７を昇降路の下部に配置した場合に比べて、巻上機１６と制御盤１７とを近接して配置することができるので、両者間の配線作業や保守作業を余り移動することなく容易に行うことができる。
【００３２】
また、昇降路壁２と乗りかご７の背面側との間に形成した背面側空間部における上部空間に巻上機１６を配置すると共に、昇降路壁２と乗りかご７の左面側との間に形成した左側方空間部における頂部プーリ２０、２１を配置した仮想垂直面に近接して巻上機１６を配置することによって、左側方空間部における構成を一層簡略化することができると共に、側方空間部に配置した頂部プーリ２０、２１および返しプーリ２２の幅方向を薄型にすることができ、しかも、その仮想垂直面に近接して巻上機１６を配置することができるので、側方空間部を一層小さくして昇降路を小型にしたエレベータ装置とすることができる。
【００３３】
さらに、昇降路壁２と乗りかご７の背面側との間に形成した背面側空間部で釣り合い錘１２と干渉することのない位置の上方部に巻上機１６を配置し、かつ、釣り合い錘１２の投影面内に巻上機１６の一部が位置するようにし、乗りかご７の左面側と昇降路壁２との間に形成した左側方空間部における頂部プーリ２０、２１を配置した仮想垂直面に近接して巻上機１６を配置しているため、釣り合い錘１２に設けられる釣り合い錘用プーリ２５と、返しプーリ２２とを近接して配置することができ、両プーリ２２、２５間に補助のプーリなどを設置することなく両プーリ２２、２５間に主ロープ１５を直接掛けて構成を簡単にしたエレベータ装置とすることができる。特に、背面側空間部は乗りかご７の大型化、またオプション仕様によって乗りかご７の重量が増大する場合に備えることができ、釣り合い錘１２を案内する一対の錘用ガイドレール１０、１１の間隔を容易に大きくして、乗りかご７に合わせて釣り合い錘１２に必要な重量を容易に確保することができる。
【００３４】
図４は、本発明の他の実施の形態によるエレベータ装置を示す平面図であり、図１に示した実施の形態との同等物には同一符号を付けて説明を省略し、相違部分について説明する。ここで巻上機１６は向きを変えて同じ位置に配置しており、その駆動シーブ２３を昇降路壁２側に面して配置している。
【００３５】
このような構成によれば、巻上機１６の電動機２４は返しプーリ２２の上方部に位置し、かつ、返しプーリ２２の投影面内に一部が位置するので、返しプーリ２２から立ち上げた主ロープ１５を容易に駆動シーブ２３に巻き掛けることができる。また、釣り合い錘１２の上部に配置した釣り合い錘用プーリ２５と、駆動シーブ２３との間の主ロープ１５も余り傾けることなく掛けることができる。
【００３６】
図５は、本発明の他の実施の形態によるエレベータ装置を示す平面図であり、図１に示した実施の形態との同等物には同一符号を付けて説明を省略し、相違部分について説明する。ここで巻上機１６は向きを変えて配置しており、その駆動シーブ２３を昇降路壁２側に面して配置すると共に、乗りかご７の上方部に位置し、かつ、乗りかご７の投影面内に一部が位置するよう昇降路壁２から多少離して配置している。
【００３７】
このような構成によれば、巻上機１６の駆動シーブ２３は図１に示した場合とほぼ同じ位置に置くことができ、駆動シーブ２３と返しプーリ２２とを近接して配置することができるので、返しプーリ２２から立ち上げた主ロープ１５を容易に駆動シーブ２３に直接巻き掛けて構成を簡単にすることができる。また、釣り合い錘１２の上部に配置した釣り合い錘用プーリ２５と、駆動シーブ２３との間の主ロープ１５も図１に示した場合とほぼ同様に余り傾けることなく直接掛けることができ、構成を簡単にすることができる。また、このときの巻上機１６の位置によって、その電動機２４は制御盤１７に一層近接して配置することができるようになり、電動機２４への給電を制御する機器等を含んだ制御盤１７と電動機２４間を接続する配線が短くなり、乗りかご７上からの配線作業、保守作業を一層容易にすることができる。
【符号の説明】
【００３８】
１    昇降路
２    昇降路壁
３    レールブラケット
４    レールブラケット
５    かご用ガイドレール
６    かご用ガイドレール
７    乗りかご
８    レールブラケット
９    レールブラケット
１０  錘用ガイドレール
１１  錘用ガイドレール
１２  釣り合い錘
１３  ロープエンド部
１４  ロープエンド部
１５  主ロープ
１６  巻上機
１７  制御盤
１８  かご用プーリ
１９  かご用プーリ
２０  頂部プーリ
２１  頂部プーリ
２２  返しプーリ
２３  駆動シーブ
２４  電動機
２５  釣り合い錘用プーリ
２６  頂部ビーム
２７  釣り合い錘側頂部ビーム
２８  かご側頂部ビーム
２９  支持部材
３０  支持部材
３１  支持台
３２  制御盤用ブラケット
３３  制御盤用ブラケット
【図１】
0005805508.tif 000002
【図２】
0005805508.tif 000003
【図３】
0005805508.tif 000004
【図４】
0005805508.tif 000005
【図５】
0005805508.tif 000006